(57)【要約】【課題】配管や配線の束において、個々の配管や配線の位置を規制する。【解決手段】位置決め部材１は、放射状に延設された少なくとも三つの隔壁部４と、夫々の隔壁部４の先端に形成された係止部５とを有する。各隔壁部４は、柔軟性をもつ板状に形成される。また、係止部５は、円柱状に形成される。これにより、位置決め部材１が配管３や配線の束３０に装着された状態では、隔壁部４が、配管３や配線を配置するための空間を複数の領域６に区分する仕切壁として機能する。このため、配管３や配線の束３０において、配管３や配線同士の相対位置が変化しにくくなる。【選択図】図２
2019107924.tif 000002
【特許請求の範囲】
【請求項１】
柔軟性をもつ板状に形成され、放射状に延設された少なくとも三つの隔壁部と、
夫々の前記隔壁部の先端に形成された円柱状の係止部と、
を備えたことを特徴とする位置決め部材。
【発明の詳細な説明】
【技術分野】
【０００１】
本発明は、配管や配線の束に挟み込まれて使用される位置決め部材に関する。
【背景技術】
【０００２】
従来、流体を流通させるための多数の配管や、電流を流通させるための多数の配線を束ねる種々の装置が開発されている。例えば、特許文献１には、多数の配線（ワイヤーハーネス）を保持する略Ｃ字状のカバー部を備えたバンドクランプが開示されている。このバンドクランプによれば、配線の束をカバー部により保持した状態で車体パネルに固定することができる。
【先行技術文献】
【特許文献】
【０００３】
【特許文献１】特開2009-171648号公報
【発明の概要】
【発明が解決しようとする課題】
【０００４】
しかしながら、従来、配管や配線の束を構成する場合、設計において図面上の略図で配管や配線の位置を指示するのみで、配管や配線の位置決めを確実化できる実用可能な部材が存在しなかった。特許文献１に記載されるようなバンドクランプにおいても、略Ｃ字状のカバー部が配線の束を外側から覆うだけであることから、カバー部の内側で個々の配線の位置を規制することができない。このため、このようなバンドクランプで保持された配線の束は、例えば運搬時や組付時に曲げられたり捻られたりした場合に、配線同士の相対位置が変化しやすく、個々の配線に捻れが生じて接続先に届かなくなる可能性がある。また、配線の束に限らず、配管の束においても同様の課題が生じる可能性がある。
【０００５】
本件の位置決め部材は、前述したような課題に鑑み創案されたものであり、配管や配線の束において、個々の配管や配線の位置を規制することを目的の一つとする。
【課題を解決するための手段】
【０００６】
ここで開示する位置決め部材は、柔軟性をもつ板状に形成され、放射状に延設された少なくとも三つの隔壁部と、夫々の前記隔壁部の先端に形成された円柱状の係止部と、を備えている。
【０００７】
これにより、位置決め部材が配管や配線の束に装着された状態では、隔壁部が、配管や配線を配置するための空間を複数の領域に区分する仕切壁として機能する。このため、配管や配線の束において、配管や配線同士の相対位置が変化しにくくなる。
【発明の効果】
【０００８】
開示の位置決め部材によれば、配管や配線の束において、個々の配管や配線の位置を規制することができる。
【図面の簡単な説明】
【０００９】
【図１】実施形態に係る位置決め部材が配管の束に装着された状態を例示する斜視図である。
【図２】図１の位置決め部材の正面図である。
【図３】図１の位置決め部材の側面図である。
【図４】変形例に係る位置決め部材の正面図である。
【発明を実施するための形態】
【００１０】
図面を参照して、実施形態としての位置決め部材について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１１】
［１．構成］
図１に示すように、本実施形態の位置決め部材１は、結束バンドやテープ等の締付部材２で束ねられた複数の配管３の間に挟み込まれて使用される。図１には、七つの配管３がその延在方向に沿って間隔をあけて設けられた三つの締付部材２で束ねられ、これらの三つの締付部材２の相互間に位置決め部材１が配置された状態を例示する。
【００１２】
以下、締付部材２で束ねられた配管３を配管束３０ともいう。配管束３０の外観形状は、概ね円柱形状とされる。配管３は、例えば車両のエアブレーキに空気を供給するためのものである。配管３は何れも、配管束３０の輸送時や組付時に湾曲可能となるように、柔軟性をもつ素材（例えばポリアミド〔ＰＡ〕）で形成される。
【００１３】
締付部材２は、配管束３０をその径方向の外側から締め付ける帯状の部材である。締付部材２は、複数の配管３を束ねつつも配管束３０の湾曲は許容するように、幅寸法ｗ１が配管束３０の太さや柔軟性などに応じて設定される。なお、ここでいう締付部材２の幅寸法ｗ１とは、締付部材２が配管束３０の外側に装着された状態で配管束３０の延在方向に沿う方向の寸法である。
【００１４】
位置決め部材１は、配管束３０における個々の配管３の位置を規制するものである。図２に示すように、位置決め部材１は、放射状に延設された四つの隔壁部４と、各隔壁部４の先端に設けられた係止部５とを有する。本実施形態の位置決め部材１は、配管３の素材と同一の素材で形成されている。すなわち、位置決め部材１は、柔軟性をもつ素材（例えばポリアミド〔ＰＡ〕）で形成されている。
【００１５】
隔壁部４は、配管束３０内において、締付部材２で規定されるとともに配管３を配置するための空間を、複数の領域６に区分する仕切壁として機能する。言い換えると、隔壁部４は、配管束３０内で複数の配管３を複数の組に分割する機能をもつ。各隔壁部４の基端は、一点に集合しており、配管束３０の内側に配置される。
【００１６】
本実施形態の四つの隔壁部４は、十字状に配設され、配管束３０が配置される空間を四つの同一形状の領域６に区画する。四つの隔壁部４で区画される四つの領域６のそれぞれには、少なくとも一つの配管３が配置される。図２には、これらの四つの領域６のうち、三つの領域６のそれぞれに二つの配管３が配置され、残りの一つの領域６に一つの配管３が配置される場合を例示する。
【００１７】
各隔壁部４は、柔軟性をもつ板状に形成される。各隔壁部４は、配管束３０内で適宜曲がるように、厚さ寸法ｔが配管３の太さや本数や柔軟性などに応じて設定される。なお、ここでいう隔壁部４の厚さ寸法ｔとは、隔壁部４の延在方向（基端と先端とを結ぶ方向）と直交するとともに位置決め部材１が配管束３０に装着された状態で配管束３０の延在方向とも直交する方向の寸法である。
【００１８】
また、図３に示すように、各隔壁部４は、位置決め部材１が配管束３０に装着された状態で配管束３０の湾曲を許容するように、幅寸法ｗ２が配管束３０の太さや柔軟性などに応じて設定される。本実施形態の各隔壁部４の幅寸法ｗ２は、締付部材２の幅寸法ｗ１（図１参照）と略同じ大きさとされている（ｗ１≒ｗ２）。なお、ここでいう隔壁部４の幅寸法ｗ２とは、位置決め部材１が配管束３０に装着された状態で配管束３０の延在方向に沿う方向の寸法である。
【００１９】
係止部５は、配管束３０に対する位置決め部材１の位置ずれを抑制するための部位である。係止部５は、位置決め部材１が配管束３０に装着された状態で配管束３０と同一方向に沿って延びる円柱状に形成され、配管束３０の外側に配置される。図２に示すように、係止部５の端面の直径ｄは、隔壁部４の厚さ寸法ｔよりも大きくされる（ｔ＜ｄ）。また、図３に示すように、係止部５の幅寸法ｗ３は、隔壁部４の幅寸法ｗ２よりも大きくされる（ｗ２＜ｗ３）。なお、ここでいう係止部５の幅寸法ｗ３とは、隔壁部４の幅寸法ｗ２と同様に、位置決め部材１が配管束３０に装着された状態で配管束３０の延在方向に沿う方向の寸法である。
【００２０】
位置決め部材１は、例えば、設計図に基づいて複数の配管３から配管束３０が構成される過程で、配管３の間に挟み込まれる。より具体的には、配管束３０は、それぞれの配管３が位置決め部材１の隔壁部４で区分された領域６のうちの所定の一つを通るように配置されたうえで、締付部材２により外側から締め付けられることで構成される。そして、このように構成された配管束３０は、例えば、巻回された状態で輸送され、適宜曲げられた状態で車両などに組み付けられる。
【００２１】
［２．作用及び効果］
位置決め部材１が配管束３０に装着された状態では、放射状に延設された隔壁部４が、配管３を配置するための空間を複数の領域６に区分する仕切壁として機能する。このため、配管束３０において配管３同士の相対位置を変化しにくくすることができる。すなわち、位置決め部材１によれば、配管束３０において個々の配管３の位置を規制することができる。これにより、たとえ配管束３０が輸送時や組付時に曲げられたり捻られたりしても、個々の配管３に捻れが生じにくくなるため、各配管３が想定される軌道に沿って配置されやすくなる。よって、配管３が接続先に届かなくなるという不具合を起こりにくくすることができる。
【００２２】
また、位置決め部材１によれば、配管束３０において個々の配管３の位置が規制されることから、例えば配管束３０から所定の配管３を下方へ分岐させる場合に、この配管３を配管束３０内の下部に予め配置しておくことで、この配管３を無理に捻ることなく配管束３０から分岐させることが容易となる。したがって、位置決め部材１によれば、配管束３０から所定の配管３を分岐させる場合に、この配管３の配索を容易にすることができるとともに、この配管３が接続先に届かなくなるという不具合を起こりにくくすることができる。
【００２３】
また、仮に位置決め部材１が配管束３０の径方向に変位した場合、隔壁部４の先端に形成された円柱状の係止部５の何れかが配管３の外周面に当たる（引っ掛かる）ことで、配管束３０内への潜り込みを防止される。このため、位置決め部材１によれば、配管束３０に対する位置ずれを抑制することができる。さらに、係止部５が円柱状であることから、係止部５が配管３の外周面に当たった場合に、配管３に損傷を与えにくくすることができる。
【００２４】
また、位置決め部材１の隔壁部４で仕切られた空間の各領域６に配管３を配置することで、各隔壁部４を配管３によって挟持することができるため、テープや接着剤等を用いることなく、位置決め部材１を配管束３０に保持させることができる。したがって、位置決め部材１によれば、配管束３０において個々の配管３の位置を規制しつつも、部品点数及び組付工数の増加を抑えることができ、コスト増の抑制に寄与することができる。
【００２５】
また、隔壁部４は、柔軟性をもつ板状であることから、配管束３０内で適宜変形することができる。これによって、隔壁部４から配管３に加わる力が緩和されるとともに、配管束３０における配管３の位置が微調整されるため、配管３に損傷を与えることなく配管３の位置を規制することができるとともに、配管束３０を円柱形状に近づけることができる。
【００２６】
また、位置決め部材１を配管３と同一の素材で形成することで、位置決め部材１に配管３と同等の耐久性をもたせることができるため、位置決め部材１が配管３よりも著しく劣化することを防止できる。これにより、配管束３０から位置決め部材１を取り外して交換する必要を生じにくくすることができる。
【００２７】
また、位置決め部材１は、隔壁部４の幅寸法ｗ２が締付部材２の幅寸法ｗ１と同程度に設定されるため、配管束３０に装着された状態であっても配管束３０の曲げ性能を確保することができる。よって、配管束３０において個々の配管３の位置を規制しつつ、配管束３０の組み付け性の低下を抑制することができる。
【００２８】
［３．変形例］
位置決め部材に設けられる隔壁部の個数は三つ以上であればよい。すなわち、前述した四つの隔壁部４を有する位置決め部材１に代えて、図４に示すように五つの隔壁部４′を有する位置決め部材１′が適用されてもよい。この場合も、五つの隔壁部４′は放射状に延設されるとともに、各隔壁部４′の先端には円柱状の係止部５′が形成される。
【００２９】
このような位置決め部材１′によっても、隔壁部４′が配管３を配置するための空間を複数の領域６′に区分する仕切壁として機能することにより、配管束３０において個々の配管３の位置を規制することができる。また、係止部５′により、配管束３０に対する位置決め部材１′の位置ずれを抑制することができる。
【００３０】
位置決め部材に設けられる隔壁部の個数及びその配置は、前述したものに限定されず、例えば配管束３０をなす配管３の本数やその太さなどに応じて適宜変更可能である。隔壁部は、配管束３０内で各配管３を別々の領域に配置可能となるように、配管３と同じ数だけ設けられてもよいし、配管３を配置する領域が配管３の太さに応じた大きさとなるように、その配置が設定されてもよい。
【００３１】
位置決め部材１，１′の素材は特に限定されない。また、位置決め部材１，１′の各係止部５，５′に互いに異なる色を付けて、これらの係止部５，５′を識別できるようにしてもよい。この場合、配管束３０の組付時に、配管束３０に装着された位置決め部材１，１′の所定の係止部５，５′（例えば、赤色が付いた係止部５，５′）が上側となる姿勢で配管束３０を組み付けるといった指示や作業を容易にすることができる。
【００３２】
なお、配管束３０を構成する配管３の本数は特に限定されない。また、位置決め部材１，１′は、配管束３０に代えて、複数の配線が締付部材２により束ねられることで構成された配線束に対しても同様に適用可能である。位置決め部材１，１′を配線束に適用する場合も、位置決め部材１，１′によれば、配管束３０に適用する場合と同様の作用，効果を得ることができる。
【符号の説明】
【００３３】
１，１′  位置決め部材
４，４′  隔壁部
５，５′  係止部
【図１】
2019107924.tif 000003
【図２】
2019107924.tif 000004
【図３】
2019107924.tif 000005
【図４】
2019107924.tif 000006